(57)【特許請求の範囲】
【請求項１】
遊技球を誘導する遊技球樋において、
該遊技球樋の外壁に設けられた保持穴と、
該ストッパ保持穴を貫通し、該保持穴の軸方向に沿って引出位置と押込位置とに往復変位可能で、引出位置では前記誘導される遊技球の移動を許し、押込位置では該遊技球の移動を阻むストッパとを備え、
さらに、
前記ストッパの前記保持穴を貫通する部分に弾性片を備え、
該弾性片には、前記ストッパが前記引出位置にあるときに前記保持穴側と係止または係合することで該ストッパの前記引出位置から押込位置側への変位を阻み、該弾性片を前記保持穴の中側に弾性変形させることで前記係止または係合が解除される押込阻止部を設けた
ことを特徴とする遊技球樋。
【請求項２】
請求項１記載の遊技球樋において、
前記ストッパが前記引出位置側から前記押込位置にされたときに該ストッパのさらなる変位を阻む押込位置規定手段と、
前記ストッパが前記押込位置側から前記引出位置にされたときに該ストッパのさらなる変位を阻む引出位置規定手段と
を備えたことを特徴とする遊技球樋。
【請求項３】
請求項１または２記載の遊技球樋において、
前記遊技球樋は遊技球を１列で誘導する誘導路を２本並列とした部分を備え、前記ストッパは前記並列の誘導路同士の境界面に沿って前記往復変位する設定であり、
前記ストッパには、下端面が球面状で、前記押込位置では前記誘導路を狭窄して遊技球の移動を阻み前記引出位置では該狭窄を解除する柱状体を備えた
ことを特徴とする遊技球樋。
【請求項４】
請求項１または２記載の遊技球樋において、
該遊技球樋は、遊技球を貯留する遊技球タンクから流出した遊技球を整列させるタンクレールであることを特徴とする遊技球樋。
【発明の詳細な説明】
【０００１】
【発明の属する技術分野】
本発明は、遊技球が使用される遊技機の技術分野に属し、詳しくは遊技球を誘導するための遊技球樋に関する。
【０００２】
【従来の技術】
遊技を実行するために遊技球の投入を要する遊技機や遊技結果に応じて遊技球を払い出す遊技機等、遊技球が使用される遊技機が各種ある。これらの遊技機では、遊技球を誘導するためにさまざまな遊技球樋が使用されている。例えば遊技球が使用される遊技機の代表例であるパチンコ機の場合、遊技球タンクから流出した遊技球を整列させながら誘導するタンクレール、タンクレールと払出装置の間を中継する中継樋、払出装置から排出された遊技球を上下の受皿に導くための樋、セーフ球やアウト球を機外に誘導する樋などがある。
【０００３】
こうした遊技球樋には、例えば下流側部分の点検、修理、交換等の作業を行う際に、その作業対象部分に遊技球を流れ込ませないために、また作業対象部分を取り外す際にそこから遊技球が外部に流出するのを防止するために、ストッパを備えたものがある。一例としてタンクレールから中継樋への遊技球の移動を阻むためのストッパがある。このストッパは板金製で、例えば中継樋の外部にて軸支されて揺動変位し、その先端の爪状の部分を遊技球樋内に差し込むことで遊技球の移動を阻むものであった。
【０００４】
【発明が解決しようとする課題】
ところが、遊技球樋の外部に取り付けられるので取付用の部品及び取付場所の確保が必須であり、しかも使用時と不使用時とで揺動変位する構造であるため、その変位域も大きかった。要すれば、ストッパのためのスペースが大きく、例えば揺動軸を兼ねるねじや、そのねじをねじ締めする作業も必要であった。
【０００５】
【課題を解決するための手段及び発明の効果】
請求項１記載の遊技球樋は、遊技球を誘導する遊技球樋において、該遊技球樋の外壁に設けられた保持穴と、該保持穴を貫通し、該保持穴の軸方向に沿って引出位置と押込位置とに往復変位可能で、引出位置では前記誘導される遊技球の移動を許し、押込位置では該遊技球の移動を阻むストッパとを備えた。ストッパは、例えば押込位置では遊技球樋の内部に進入して通路を閉塞して遊技球の移動を阻み、引出位置では通路を開放することにより遊技球の移動を許す。この閉塞、開放のために必要となる移動量はわずかで済むから、ストッパの移動領域は小さい。また、ストッパを保持穴にて保持するので、これを遊技球樋の外部に取り付ける必要はなく、そのためのスペースや作業も不要となる。
【０００６】
ストッパの位置保持は、例えばストッパと保持穴との摩擦に依ってもよいのだが、これでは少々不安定である。
そこで、請求項１記載の遊技球樋は、前記ストッパの前記保持穴を貫通する部分に弾性片を備え、該弾性片には、前記ストッパが前記引出位置にあるときに前記保持穴側と係止または係合することで該ストッパの前記引出位置から押込位置側への変位を阻み、該弾性片を前記保持穴の中側に弾性変形させることで前記係止または係合が解除される押込阻止部を設けたので、ストッパが不用意に、あるいは遊技機の稼働に伴う振動などで押込位置とされるのを防止できる。
【０００７】
請求項２記載の遊技球樋は、請求項１記載の遊技球樋において、前記ストッパが前記引出位置側から前記押込位置にされたときに該ストッパのさらなる変位を阻む押込位置規定手段と、前記ストッパが前記押込位置側から前記引出位置にされたときに該ストッパのさらなる変位を阻む引出位置規定手段とを備えたので、ストッパが引出位置や押込位置を越えて変位するのを防止できる。
【０００８】
請求項３記載の遊技球樋は、請求項１または２記載の遊技球樋において、前記遊技球樋は遊技球を１列で誘導する誘導路を２本並列とした部分を備え、前記ストッパは前記並列の誘導路同士の境界面に沿って前記往復変位する設定であり、前記ストッパには、下端面が球面状で、前記押込位置では前記誘導路を狭窄して遊技球の移動を阻み前記引出位置では該狭窄を解除する柱状体を備えたことを特徴とする。
【０００９】
ストッパを押込位置にすると、柱状体の片側ほぼ半分の部分が一方の誘導路を狭窄し、残りの半分側がもう一方の誘導路を狭窄して、それぞれの遊技球の移動を阻む。したがって、１つのストッパで２列の遊技球の移動を止めることができる。例えばタンクレールのように遊技球を２列で移動させる遊技球樋に好適である。
【００１０】
この押込位置への変位に際して、柱状体の移動先に遊技球があれば、柱状体にて遊技球を押しのけることになるが、柱状体の下端面が球面状となっているので、遊技球を良好に押しのけられる。よって、押込位置への変位は簡単かつ確実に行われる。なお、球面状といっても正確な球面である必要はなく、例えば楕円球面でもかまわない。
【００１１】
請求項４の遊技球樋は、請求項１または２記載の遊技球樋において、該遊技球樋は、遊技球を貯留する遊技球タンクから流出した遊技球を整列させるタンクレールである。タンクレールにて遊技球の移動を阻止すれば、それよりも下流側の様々な遊技球樋にストッパを設けなくてもよいので、遊技機の樋構造を単純化できる。
【００１２】
【発明の実施の形態】
次に、本発明の実施例により発明の実施の形態を説明する。
【００１３】
【実施例】
図１に示すように、遊技球タンク１０は、いずれもプラスチックの射出成形品である本体１２、差込体１４及びストッパ１６から構成されている。
図１〜３等に示すように、本体１２は、周壁２１、底部２３及び整列レール部２５に区分でき、また周壁２１で囲まれた内側が貯留部２７となる。整列レール部２５が遊技球樋の一種であるタンクレールに該当する。
【００１４】
周壁２１の外面には遊技球タンク１０を遊技機（例えばパチンコ機）に取り付けるための取付部材２９ａ〜２９ｄが設けられている。周壁２１には、整列レール部２５の上方に位置する部分に切欠３０が設けられ、その横には一対の嵌合受部材３１が設けられている。
【００１５】
周壁２１の下端部に連設されている底部２３は、切欠３０が設けられている壁面２１ａ側からこれに対面する壁面２１ｂ側に傾斜していて第２底面に該当する傾斜底面３３ａ、３３ｂ及び傾斜底面３３ａ、３３ｂと壁面２１ｂとの間に位置し第１底面に該当する送出底面３４ａ、３４ｂにて構成されている。
【００１６】
そして、対をなす傾斜底面３３ａ、３３ｂ間及び送出底面３４ａ、３４ｂ間は溝状に凹陥して整列レール部２５の貯留部側部分２５ａとなっている。また、傾斜底面３３ａ、３３ｂと整列レール部２５の境界部分には、内壁３５ａ、３５ｂが立ち上がっている。これら内壁３５ａ、３５ｂの傾斜底面３３ａ、３３ｂからの立ち上がり高さは遊技球の半径程度であり、傾斜底面３３ａ、３３ｂから整列レール部２５への遊技球の落下を阻害する。
【００１７】
整列レール部２５は、上述の貯留部側部分２５ａと壁面２１ａ側に突出している突出部２５ｂとからなり、その底２５ｃは壁面２１ｂが高く突出部２５ｂの先端側が低く傾斜している。整列レール部２５の内部は隔壁３６によって２分割されており、それぞれ遊技球が一列で通過可能な整列溝３７となっている。整列溝３７が誘導路に該当し、隔壁３６が境界面に相当する。
【００１８】
隔壁３６の下流側端部には切欠状の断絶部３８が設けられ、整列レール部２５の底２５ｃには断絶部３８に対応して長方形の貫通穴３９が設けられている。また、貫通穴３９の周縁部４０は底２５ｃの下側に突出している。
整列レール部２５の上流端部（送出底面３４ａと送出底面３４ｂの間になる部分）には荷重検出用の開口４１が設けられている。この開口４１の内部には遊技球による荷重の有無に対応して昇降（下降時には整列レール部２５の底２５ｃと実質的に一連となる。）する昇降板（図示略）が配され、その昇降変位にて荷重（すなわち遊技球タンク１０内の遊技球の有無）を検出するためのスイッチ（図示略）がオン、オフされる。
【００１９】
差込体１４は、その中央部に配された壁状の閉鎖体４５、閉鎖体４５の一方の面側に延出された庇部４６及び庇部４６とは反対側に延出された天井部４７を一体化した構成である。
閉鎖体４５の幅は壁面２１ａに設けられた切欠３０の幅と整合し、その高さ（天井部４７からの立ち上がり）は、切欠３０の高さとほぼ一致する。したがって、閉鎖体４５にて切欠３０を隙間無く閉鎖することができる。
閉鎖体４５の内面（庇部４６側の面）には張出４８を介して円柱状の嵌合体４９が取り付けられている。この嵌合体４９の径は嵌合受部材３１の内径とほぼ等しく、嵌合体４９を嵌合受部材３１の上方から差し込むことで嵌合体４９を嵌合受部材３１に嵌合させることができる。そして、そのように嵌合させた際には、閉鎖体４５が切欠３０を隙間無く閉鎖し、それによって周壁２１が筒状に閉じた状態とされる。つまり、閉鎖体４５は周壁２１の一部をなすといえる。
【００２０】
閉鎖体４５と庇部４６との連結部には断面形状が略三角形のサポート部５０が設けられている。庇部４６は、このサポート部５０の上辺に沿って延伸された状態となっている。庇部４６の上面は、中心部５１が低く両縁部５２が高い緩やかなＶ谷状で、全体として閉鎖体４５側が高く先端側が低い傾斜を施され、両縁部５２をそれぞれ内壁３５ａ、３５ｂ上に載せている。また、縁部５２の下面側には規制突起５３が設けられており、規制突起５３を内壁３５ａ、３５ｂの内面（整列レール部２５側の面）に接触させることで、整列レール部２５を横切る方向の移動を規制している。
【００２１】
天井部４７はサポート部５０の斜辺の延長線に沿って延出され、一方の縁（図において手前側となる縁）はほぼ直角に折り曲げられた形状で外接部５５とされている。天井部４７は、突出部２５ｂの上縁に整合する緩やかな湾曲が施され、上述のように嵌合体４９を嵌合受部材３１に嵌合させて閉鎖体４５で切欠３０を閉鎖した際には、天井部４７は突出部２５ｂの天井となって突出部２５ｂを筒状にしている。また、外接部５５は突出部２５ｂの外面に接して位置決め及びずれ防止の働きをする。
【００２２】
天井部４７の断絶部３８及び貫通穴３９のほぼ直上になる部分には、円と長方形を組み合わせた形状のストッパ保持穴５７が設けられており、これらストッパ保持穴５７、断絶部３８及び貫通穴３９を貫いて、ストッパ１６が差し込まれている。
【００２３】
ストッパ１６は、最上部に位置する操作摘５８、この下側に連設された円柱状の主軸５９、主軸５９の下端に連接された板部６０、板部６０から主軸５９に沿って上向きに延出された一対の上弾性片６１、それとは逆に延出された下弾性片６２からなり、上弾性片６１には下向きの係止爪６３、６４が２段に設けられ、下弾性片６２の先端には上向きの係止爪６５が設けられている。主軸５９は柱状体に該当し、その下端面はほぼ球面状である。また、上弾性片６１は弾性片に該当し、下側の係止爪６４が押込阻止部に該当し、上側の係止爪６３が押込位置規定手段となる。そして、下弾性片６２の先端に設けられた係止爪６５が引出位置規定手段となる。なお板部６０の板厚は隔壁３６の板厚と等しい。
【００２４】
この遊技球タンク１０は、例えばパチンコ機に取り付けて使用され、その際には開口４１は昇降板にて閉鎖状態とされる。
また、通常はストッパ１６は引出位置にされる。引出位置とは、上弾性片６１の下側の係止爪６４がストッパ保持穴５７の上縁に係止され、下弾性片６２の係止爪６５が貫通穴３９の周縁部４０に係止された状態である。ストッパ１６が引出位置にあるときには、板部６０及び下弾性片６２が隔壁３６の断絶部３８に嵌合し、主軸５９はさらに上方に位置している。このため、整列溝３７内の遊技球の移動はストッパ１６によって阻害されない。
【００２５】
一方、ストッパ１６を押込位置、すなわち上弾性片６１の上側の係止爪６３がストッパ保持穴５７の上縁に係止され、下弾性片６２が貫通穴３９の下方に突出した位置にすると、板部６０が貫通穴３９に嵌合し主軸５９が整列溝３７を閉塞する。このため、整列溝３７内の遊技球は主軸５９によって移動を阻まれ、それよりも下流側へは移動できない。つまり、整列レール部２５からの流出を阻止される。
【００２６】
なお、ストッパ１６を引出位置から押込位置に移動させるには、例えば両方の上弾性片６１を指で挟むようにして、それらを主軸５９に近づける側に弾性変形させて係止爪６４とストッパ保持穴５７の上縁との係止を解除する。そして、ストッパ１６を少し押込てから（係止爪６４がストッパ保持穴５７内に入るか通過後に）上弾性片６１を弾性変形させていた力を解除し、さらに押し込める。すると弾性復帰した上弾性片６１の上の係止爪６３がストッパ保持穴５７の上縁に係止されてストッパ１６の下降が停止する。これにてストッパ１６の位置が引出位置から押込位置に変化する。
【００２７】
この押込操作に際して、主軸５９の移動先に遊技球があれば、主軸５９にて遊技球を押しのけることになるが、主軸５９の下端面が球面状となっていて遊技球との接触が球面同士の接触となる。しかも、主軸５９は、列をなす遊技球の真上から下降するのではなくて、遊技球の列の中心線を外れた位置で下降するから、遊技球と主軸５９の接触は、遊技球の頂点ではなくて斜面部分にて行われる。こうしたことから、主軸５９の下端部にて遊技球を良好に押しのけられる。また、もともと遊技球同士が接触していない部分に進入するので、押しのけ量もきわめて小さい。よって、押込位置への変位は簡単かつ確実に行われる。
【００２８】
これとは逆に、ストッパ１６を押込位置から引出位置に移動させるには、例えば操作摘５８を持ってストッパ１６を引き上げるだけでよい。すると、係止爪６４が上弾性片６１の弾性変形によってストッパ保持穴５７を通過して上に出たところでストッパ保持穴５７の上縁と係止する。また、このときに下弾性片６２の係止爪６５が貫通穴３９の周縁部４０に係止されて、ストッパ１６の上昇を停止させる。
【００２９】
このように、ストッパ１６を引出位置から押込位置に移動させるには、係止爪６４とストッパ保持穴５７の上縁との係止を解除する必要があるので、例えば操作摘５８に荷重がかかってもストッパ１６が押込位置に変位することはない。つまり、予期しない外力が働いて整列レール部２５が閉塞されるおそれはない。一方、ストッパ１６を押込位置から引出位置に移動させるには、操作摘５８を持ってストッパ１６を引き上げるだけでよいので、操作は簡単である。ストッパ１６は、通常の使用時には引出位置にされ、例えば整列レール部２５よりも下流側部分（一例として払出装置）の点検、修理、交換等の作業を行う際には、その作業対象部分に遊技球が流れ込ませないために、また樋などを取り外す際にそこから遊技球が外部に流出するのを防止するために、ストッパ１６を押込位置にして整列レール部２５から下流側への遊技球の流下を停止させる。
【００３０】
さて、ストッパ１６を引出位置にしておいて、遊技球タンク１０の貯留部２７に例えば遊技店の補給設備からの遊技球を供給すると、遊技球は、送出底面３４ａ、３４ｂから開口４１を閉鎖している昇降板上を経て整列レール部２５に流れ込む。そして、整列レール部２５を移動するうちに、隔壁３６により２つの流れに分離され、さらにサポート部５０から天井部４７にかけての絞り作用により上下に重なる状態から１段とされることで、２本の整列溝３７でそれぞれ一列に整列され、２条の流れとなって整列レール部２５の先端から外部に（例えば賞球等の払出装置に通じる樋に）排出される。
【００３１】
貯留部２７に多量の遊技球が在る場合には、傾斜底面３３ａ、３３ｂ上だけでなく庇部４６上にも遊技球が貯留される。しかし、それら庇部４６上の遊技球による球圧は庇部４６によって支承され、その下側すなわち整列レール部２５の内の遊技球にはかからない。よって庇部４６下の遊技球の流れが上からの球圧で阻害されることはない。また、庇部４６は傾斜底面３３ａ、３３ｂと同方向に傾斜しているので、整列レール部２５の上流側の遊技球が減少するに応じて庇部４６の先端から整列レール部２５に落下する。よって、庇部４６上に遊技球がとどまることもない。
【００３２】
この遊技球タンク１０は、貯留部２７に貯留していた遊技球を流動させつつ整列させて遊技球タンク１０の外部に誘導する整列レール部２５を貯留部２７の底部２３に一体化して設けたので、貯留部２７の遊技球が整列レール部２５に流れ込み、そこで流動しつつ整列させられて遊技球タンク１０の外部に誘導される。
【００３３】
従って、遊技球タンク１０から流出する遊技球は既に整列していて、これを整列させるための装置や機構は不要となる。よって、従来のタンクレールのような遊技球を整列させるための付属部品を遊技球タンクと別個に備える必要はなくなるので、部品点数を低減できる。またタンクレールを遊技球タンクとは別個に遊技機の本体側に装着する必要もなくなるので、そうした付属部品を取り付けるための機構等も不要となる。
【００３４】
遊技球タンク１０は、整列レール部２５の貯留部側部分２５ａの下流端部の上方に庇部４６を設けたので、貯留部側部分２５ａの下流端部付近に過剰な球圧が集中することはなく、これによる流動不良や球詰まりを防止できる。
遊技球タンク１０は、整列レール部２５の上流端部に隣接する送出底面３４ａ、３４ｂと、庇部４６に沿い送出底面３４ａ、３４ｂよりも上方に位置する傾斜底面３３ａ、３３ｂとを底部２３に設けており、傾斜底面３３ａ、３３ｂは庇部４６に沿っているので、庇部４６よりも上流側ではともかく、傾斜底面３３ａ、３３ｂから整列レール部２５の貯留部側部分２５ａの下流端部へと遊技球が流入することはない。一方、送出底面３４ａ、３４ｂは傾斜底面３３ａ、３３ｂよりも低い位置にあるので、貯留部２７内の遊技球の大まかな流れは上方に位置する傾斜底面３３ａ、３３ｂから送出底面３４ａ、３４ｂに向かう方向となる。そして、送出底面３４ａ、３４ｂは整列レール部２５の上流端部に隣接するので、貯留部２７内の遊技球は主に送出底面３４ａ、３４ｂから整列レール部２５に流入する。したがって、整列レール部２５の貯留部側部分２５ａの下流端部への球圧集中の防止がより確実になる。
【００３５】
遊技球タンク１０は、庇部４６を貯留部２７の周壁２１（壁面２１ａ）に保持させているので庇部４６が移動或いは変位することはなく、上記の庇部２６による効果が確実となる。
その庇部４６の取付形態は、貯留部２７の周壁２１に切欠３０を設け、庇部４６は、切欠３０に挿入されて切欠３０を閉鎖する閉鎖体４５と一体化されているので、閉鎖体４５を周壁２１に取り付けるだけで庇部４６をも周壁２１に取り付けることができる。よって取り付け作業が簡単になる。
【００３６】
遊技球タンク１０の整列レール部２５は貯留部２７の外部に突出する突出部２５ｂを備え、庇部４６は、突出部２５ｂの天井となる天井部４７及び閉鎖体４５と一体化されているので、貯留部２７の開口方向と整列レール部２５の開口方向とを同方向にすることができ、遊技球タンク１０を射出成形にて製造するのに好適となる。また、閉鎖体４５の周壁２１への取り付け作業が庇部４６及び天井部４７の取り付けともなるから、取り付け作業が複雑化することもない。
【００３７】
以上、実施例及び変形例にしたがって本発明の実施の形態を説明したが、本発明はこれらの例に限定されるものではない。
【図面の簡単な説明】
【図１】  実施例の遊技球タンクの分解斜視図である。
【図２】  実施例の遊技球タンクにおいてストッパを引出位置にした状態の説明図であり、図２（ａ）は平面図、図２（ｂ）は図２（ａ）のＣ−Ｃ断面図、図２（ｃ）は図２（ｂ）のＤ−Ｄ断面図、図２（ｄ）は図２（ａ）のＡ−Ａ断面図、図２（ｅ）は図２（ｂ）のＢ−Ｂ断面図である。
【図３】  実施例の遊技球タンクにおいてストッパを引出位置にした状態の斜視図であり、図３（ａ）は全体斜視図、図３（ｂ）は図２（ａ）のＣ−Ｃ断面斜視図、図３（ｃ）は図２（ｂ）のＤ−Ｄ断面斜視図、図３（ｄ）は図２（ｂ）のＢ−Ｂ断面斜視図である。
【図４】  実施例の遊技球タンクにおいてストッパを引出位置にした際の遊技球の移動状態の説明図であり、図４（ａ）、図４（ｂ）、図４（ｃ）、図４（ｄ）は、それぞれ図２（ｂ）、図２（ｃ）、図２（ｄ）、図２（ｅ）に対応している。
【図５】  実施例の遊技球タンクにおいてストッパを引出位置にした際の遊技球の移動状態の説明図であり、図５（ａ）、図５（ｂ）、図５（ｃ）は、それぞれ図３（ｂ）、図３（ｃ）、図３（ｄ）に対応している。
【図６】  実施例の遊技球タンクにおいてストッパを押込位置にした状態の説明図であり、図６（ａ）、図６（ｂ）、図６（ｃ）、図６（ｄ）は、それぞれ図２（ｂ）、図２（ｃ）、図２（ｄ）、図２（ｅ）に対応している。
【図７】  実施例の遊技球タンクにおいてストッパを押込位置にした状態の斜視図であり、図７（ａ）、図７（ｂ）、図７（ｃ）は、それぞれ図３（ｂ）、図３（ｃ）、図３（ｄ）に対応している。
【図８】  実施例の遊技球タンクにおいてストッパを押込位置にして遊技球の流出を阻んだ状態の説明図であり、図８（ａ）、図８（ｂ）、図８（ｃ）、図８（ｄ）は、それぞれ図４（ａ）、図４（ｂ）、図４（ｃ）、図４（ｄ）に対応している。
【図９】  実施例の遊技球タンクにおいてストッパを押込位置にして遊技球の流出を阻んだ状態の斜視図であり、図９（ａ）、図９（ｂ）、図９（ｃ）は、それぞれ図５（ａ）、図５（ｂ）、図５（ｃ）に対応している。
【符号の説明】
１０    遊技球タンク
１６    ストッパ
２５    整列レール部（遊技球樋）
３６    隔壁（境界面）
３７    整列溝（誘導路）
３９    貫通穴
５７    ストッパ保持穴（保持穴）
５９    主軸（柱状体）
６１    上弾性片（弾性片）
６２    下弾性片
６３    係止爪（押込位置規定手段）
６４    係止爪（押込阻止部）
６５    係止爪（引出位置規定手段）
【図１】
0004541488.tif 000002
【図２】
0004541488.tif 000003
【図３】
0004541488.tif 000004
【図４】
0004541488.tif 000005
【図５】
0004541488.tif 000006
【図６】
0004541488.tif 000007
【図７】
0004541488.tif 000008
【図８】
0004541488.tif 000009
【図９】
0004541488.tif 000010